(57)【要約】【課題】コスト安に設計実現可能で、しかも左右一対の挟持体が凹凸係合して挟持対向部間に適正な挟持状態ではぜ部を挟持可能となる屋根用取付金具を提供すること。【解決手段】金属板７が折曲加工されて一対の挟持体１が一体連設状態に設けられ、各挟持体１は、前板部９と側板部10と後板部11とから成るコ字状体に形成されて、前板部９と後板部11の対向内側端縁が閉止ストッパー12として構成され、閉止ストッパー12の下部に挟持対向部４が設けられ、閉止ストッパー12同志を接近係合させた際に、挟持対向部４間に屋根５のはぜ部６を締付挟持でき、一方の閉止ストッパー12は、凹状縁部13と凸状縁部14とが上下に並設され、他方の閉止ストッパー12は、凸状縁部14と凹状縁部13とが上下に並設され、夫々の凹状縁部13と凸状縁部14の間が傾斜状縁部15に形成されている。【選択図】図５
2020051120.tif 000002
【特許請求の範囲】
【請求項１】
一対の挟持体が左右に対向配設され、この挟持体間に締付ボルトが貫通配設され、この締付ボルト若しくは締付ボルトに螺着した締付ナットの締付操作により一対の挟持体の夫々の下部に形成されている挟持対向部を接近させて屋根のはぜ部に締付挟持固定し得るように構成されている屋根用取付金具において、一枚の金属板が折曲加工されることにより前記一対の挟持体が天板部を介して一体連設状態に設けられ、この一対の挟持体は、夫々の前後部が対向内側に折曲加工されて、夫々が前板部と側板部と後板部とから成る平断面コ字状体に形成されていると共に、夫々の前板部と後板部の対向内側端縁が閉止ストッパーとして構成され、この閉止ストッパーの下部に前記挟持対向部が設けられて、前記締付ボルト若しくは前記締付ナットの締付操作によりこの閉止ストッパー同志を接近させて係合させた際に、挟持対向部間に前記はぜ部を締付挟持し得るように構成され、前記一方の挟持体の閉止ストッパーは、一対の挟持体の対向外側に凹設する凹状縁部と，一対の挟持体の対向内側に凸設する凸状縁部とが上下方向に並設する形状に形成され、前記他方の挟持体の閉止ストッパーは、前記一方の挟持体の凹状縁部に凹凸係合可能な凸状縁部と，前記一方の挟持体の前記凸状縁部が凹凸係合可能な凹状縁部とが上下方向に並設する形状に形成されて、一方の挟持体の閉止ストッパーと他方の挟持体の閉止ストッパーとが互いに凹凸係合し得るように構成されていると共に、夫々の凹状縁部と凸状縁部の間の連設縁部が傾斜状縁部に形成されていて、前記締付ボルト若しくは前記締付ナットの締付操作によりこの傾斜状縁部同志が係合することで、一方の挟持体の凹状縁部に他方の挟持体の凸状縁部が誘導案内されて凹凸係合すると共に、一方の挟持体の凸状縁部が他方の挟持体の凹状縁部に誘導案内されて凹凸係合するように構成され、この閉止ストッパー同志が凹凸係合した際に前記挟持対向部同志が互いに正対配置するように構成されていることを特徴とする屋根用取付金具。
【請求項２】
前記一対の挟持体は、夫々の前記前板部と前記後板部の対向内側端部が前方若しくは後方へ折曲加工されることにより、この前板部と後板部の対向内側端縁が板面形状となるように構成されて、夫々の挟持体の前板部の対向内側板面と，夫々の挟持体の後板部の対向内側板面とが、互いに面接係合可能な前記閉止ストッパーとして構成されていることを特徴とする請求項１記載の屋根用取付金具。
【請求項３】
前記一対の挟持体は、前記挟持対向部間の対向間隔が、前記はぜ部の左右幅よりも幅広な間隔を有する形状に折曲加工されていることを特徴とする請求項１，２のいずれか１項に記載の屋根用取付金具。
【請求項４】
前記天板部の中心から偏心した左側位置若しくは右側位置に、屋根上設置物を取付可能な取付ボルトが立設状態に設けられており、この取付ボルトの下方に存する一方の前記挟持体の前記閉止ストッパーは、前記凹状縁部の下に前記凸状縁部が並設する形状に形成され、他方の前記挟持体の前記閉止ストッパーは、前記凸状縁部の下に前記凹状縁部が並設する形状に形成されていることを特徴とする請求項１〜３のいずれか１項に記載の屋根用取付金具。
【請求項５】
前記天板部は、前後端部が下方に向けて折曲加工された補強片を有していることを特徴とする請求項１〜４のいずれか１項に記載の屋根用取付金具。
【発明の詳細な説明】
【技術分野】
【０００１】
本発明は、折板屋根や立平葺き屋根上に突設されたはぜ部に取付けて、適宜な屋根上設置物を屋根上に設置するための屋根用取付金具に関するものである。
【背景技術】
【０００２】
例えば、老朽化した折板屋根上に新たな折板屋根を構築する場合や、下層の折板上にウレタンなどの断熱材などを敷設し、この断熱材を上層折板で覆って断熱二重葺き折板屋根を構築する場合には、下層折板の頂部のはぜ部の根本部（首部）を挟持してこの下層折板の頂部上に断熱二重葺き金具を取り付け、この断熱二重葺き金具の上部に断熱材を介して吊子を断熱状態で取付け、この吊子に上層折板を重合係止することにより断熱二重葺き金具を介して上層折板を下層折板上に葺設して行く。
【０００３】
また、この種の断熱二重葺き金具としては、例えば、一対の別体の箱形挟持体が左右に対向配設され、この挟持体間に締付ボルトが水平貫通配設され、この締付ボルトにより前記挟持体の下部に形成されている挟持対向部を締付接近させて前記はぜ部を締付挟持するように構成されており、さらにこの一対の挟持体の上部に前記断熱材が設けられ、この断熱材上に設けられた吊子取付部に前記吊子を取付可能に構成されているものが知られている（例えば、特許文献１参照）。
【先行技術文献】
【特許文献】
【０００４】
【特許文献１】特開２０１５−１７２３２１号公報
【発明の概要】
【発明が解決しようとする課題】
【０００５】
本発明は、上記した断熱二重葺き金具のような、屋根のはぜ部に取付け可能な屋根用取付金具の改良に係るもので、従来品に比してコスト安に設計実現可能となり、しかも左右一対の挟持体が凹凸係合することにより挟持対向部間にはぜ部を強固に挟持して取付可能となる実用性に優れた屋根用取付金具を提供するものである。
【課題を解決するための手段】
【０００６】
添付図面を参照して本発明の要旨を説明する。
【０００７】
一対の挟持体１が左右に対向配設され、この挟持体１間に締付ボルト２が貫通配設され、この締付ボルト２若しくは締付ボルト２に螺着した締付ナット３の締付操作により一対の挟持体１の夫々の下部に形成されている挟持対向部４を接近させて屋根５のはぜ部６に締付挟持固定し得るように構成されている屋根用取付金具において、一枚の金属板７が折曲加工されることにより前記一対の挟持体１が天板部８を介して一体連設状態に設けられ、この一対の挟持体１は、夫々の前後部が対向内側に折曲加工されて、夫々が前板部９と側板部10と後板部11とから成る平断面コ字状体に形成されていると共に、夫々の前板部９と後板部11の対向内側端縁が閉止ストッパー12として構成され、この閉止ストッパー12の下部に前記挟持対向部４が設けられて、前記締付ボルト２若しくは前記締付ナット３の締付操作によりこの閉止ストッパー12同志を接近させて係合させた際に、挟持対向部４間に前記はぜ部６を締付挟持し得るように構成され、前記一方の挟持体１Ａの閉止ストッパー12は、一対の挟持体１の対向外側に凹設する凹状縁部13と，一対の挟持体１の対向内側に凸設する凸状縁部14とが上下方向に並設する形状に形成され、前記他方の挟持体１Ｂの閉止ストッパー12は、前記一方の挟持体１Ａの凹状縁部13に凹凸係合可能な凸状縁部14と，前記一方の挟持体１Ａの前記凸状縁部14が凹凸係合可能な凹状縁部13とが上下方向に並設する形状に形成されて、一方の挟持体１Ａの閉止ストッパー12と他方の挟持体１Ｂの閉止ストッパー12とが互いに凹凸係合し得るように構成されていると共に、夫々の凹状縁部13と凸状縁部14の間の連設縁部15が傾斜状縁部15に形成されていて、前記締付ボルト２若しくは前記締付ナット３の締付操作によりこの傾斜状縁部15同志が係合することで、一方の挟持体１Ａの凹状縁部13に他方の挟持体１Ｂの凸状縁部14が誘導案内されて凹凸係合すると共に、一方の挟持体１Ａの凸状縁部14が他方の挟持体１Ｂの凹状縁部13に誘導案内されて凹凸係合するように構成され、この閉止ストッパー12同志が凹凸係合した際に前記挟持対向部４同志が互いに正対配置するように構成されていることを特徴とする屋根用取付金具に係るものである。
【０００８】
また、前記一対の挟持体１は、夫々の前記前板部９と前記後板部11の対向内側端部が前方若しくは後方へ折曲加工されることにより、この前板部９と後板部11の対向内側端縁が板面形状となるように構成されて、夫々の挟持体１の前板部９の対向内側板面と，夫々の挟持体１の後板部11の対向内側板面とが、互いに面接係合可能な前記閉止ストッパー12として構成されていることを特徴とする請求項１記載の屋根用取付金具に係るものである。
【０００９】
また、前記一対の挟持体１は、前記挟持対向部４間の対向間隔が、前記はぜ部６の左右幅よりも幅広な間隔を有する形状に折曲加工されていることを特徴とする請求項１，２のいずれか１項に記載の屋根用取付金具に係るものである。
【００１０】
また、前記天板部８の中心から偏心した左側位置若しくは右側位置に、各種屋根上設置物16を取付可能な取付ボルト17が立設状態に設けられており、この取付ボルト17の下方に存する一方の前記挟持体１Ａの前記閉止ストッパー12は、前記凹状縁部13の下に前記凸状縁部14が並設する形状に形成され、他方の前記挟持体１Ｂの前記閉止ストッパー12は、前記凸状縁部14の下に前記凹状縁部13が並設する形状に形成されていることを特徴とする請求項１〜３のいずれか１項に記載の屋根用取付金具に係るものである。
【００１１】
また、前記天板部８は、前後端部が下方に向けて折曲加工された補強片18を有していることを特徴とする請求項１〜４のいずれか１項に記載の屋根用取付金具に係るものである。
【発明の効果】
【００１２】
本発明は上述のように構成したから、強度の高い平断面コ字状の挟持体を一対具備するものでありながら、一枚の金属板が折曲加工されて一体連設状態に設けられているので、部品点数が少なく且つ一枚板の加工は加工費も抑えられるために製造コストを削減でき、平断面コ字状の挟持体は、板厚を薄くしても強度確保が可能であるために、材料使用量も削減可能で安価な製品を提供可能となり、しかも本発明は、一対の挟持体の閉止ストッパー同志が係合して、この際に挟持対向部間に屋根のはぜ部が締付挟持されるので、挟持対向部がはぜ部を過剰に締付けてはぜ部が損傷してしまうことを防止でき、その上、閉止ストッパー同志が凹凸係合することにより挟持対向部同志が確実に正対してはぜ部を強固に挟持できるなど、極めて実用性に優れた屋根用取付金具となる。
【００１３】
また、請求項２記載の発明においては、一対の挟持体の閉止ストッパー同志が確実に凹凸係合して前記作用効果を確実に発揮できる構成を簡易構成にして容易に設計実現可能となる一層実用性に優れた構成の屋根用取付金具となる。
【００１４】
また、請求項３記載の発明においては、はぜ部の左右幅よりも幅広な間隔を有する挟持対向部間に屋根のはぜ部を容易に配設して本屋根用取付金具を屋根上に仮設置することができ、しかも、一枚の金属板の折曲加工により、挟持対向部間がはぜ部の左右幅より幅広となる形状に形成することが容易に可能であるなど、一層実用性に優れた構成の屋根用取付金具となる。
【００１５】
また、請求項４記載の発明においては、例えば、上記特許文献１のような折板屋根用の断熱二重葺き金具に本発明を適用した場合に、取付ボルトに取付けられた吊子（上層屋根板）が上方へ引っ張り上げられるような負圧荷重に抗する高耐久性を発揮できる。
【００１６】
即ち、上記特許文献１のように上部の左右いずれか偏心位置に取付ボルトが立設されている断熱二重葺き金具にあっては、取付ボルトに取付けられた吊子に強力な負圧荷重が加わると、この取付ボルトが存する側の挟持体が上方へ持ち上がろうとして金具や屋根板に変形などの支障をきたすおそれがあったが、本発明によれば閉止ストッパー同志の凹凸係合により片側の挟持体だけが上方へ持ち上がることが防止されて負圧荷重に対する高耐久性を発揮できる一層実用性に優れた構成の屋根用取付金具となる。
【００１７】
また、請求項５記載の発明においては、補強片により天板部の耐変形強度が向上し、本金具を介して取付けた各種屋根上設置物に上方からの正圧荷重や下方からの負圧荷重が加わった際に高強度を発揮できる一層実用性に優れた構成の屋根用取付金具となる。
【図面の簡単な説明】
【００１８】
【図１】本実施例を示す斜視図である。
【図２】本実施例を示す、断熱材を分解した斜視図である。
【図３】本実施例を示す正断面図である。
【図４】本実施例を、下層屋根のはぜ部に仮設置しようとする状態を示す説明正面図である。
【図５】図４に続いて、本実施例を下層屋根のはぜ部に締付挟持固定した状態を示す説明正面図である。
【図６】図５に続いて、本実施例に吊子を取付け、この吊子を介して上層屋根板を葺設した状態（断熱二重葺き折板屋根の完成状態）を示す説明正面図である。
【発明を実施するための形態】
【００１９】
好適と考える本発明の実施形態を、図面に基づいて本発明の作用を示して簡単に説明する。
【００２０】
一枚の金属板７が折曲加工されることにより一対の挟持体１が天板部８を介して一体連設状態に設けられている本発明の屋根用取付金具は、部品点数が少なく、また、複数の板材を加工して一対の別体の挟持体を形成する場合に比べて、一枚板を加工する方が加工費を抑えられるために、製造コストを削減できる。
【００２１】
また、一対の挟持体１は、夫々の前後部が対向内側に折曲加工されて、夫々が前板部９と側板部10と後板部11とから成る平断面コ字状体に形成されているために強度が高く、従って板厚を薄くしても高強度を確保可能であるため、板厚の薄い金属板７を採用して材料コストを削減できる。
【００２２】
本発明の屋根用取付金具の屋根５への取付方を説明すると、屋根５のはぜ部６に、左右一対の挟持体１を、この一対の挟持体１間にはぜ部６を挟むようにして上方から配設（仮設置）し、左右の挟持体１間に貫通配設されている締付ボルト２若しくは締付ボルト２に螺着した締付ナット３を締付操作することにより、一対の挟持体１の夫々の下部に形成されている挟持対向部４を接近させて屋根５のはぜ部６に締付挟持固定可能である。
【００２３】
また、本発明は、締付ボルト２若しくは締付ナット３を締付操作すると、一対の挟持体１の夫々の前記前板部９と前記後板部11の対向内側端縁の閉止ストッパー12同志が接近してこの閉止ストッパー12同志が係合することになり、この際にこの閉止ストッパー12の下部に設けられている挟持対向部４間にはぜ部６が締付挟持されるので、挟持対向部４がはぜ部６を過剰に締付けてはぜ部６が損傷してしまうことがない。
【００２４】
また、一対の挟持体１を締付操作した際に、一方の挟持体１Ａの閉止ストッパー12の傾斜状縁部15と、他方の挟持体１Ｂの閉止ストッパー12の傾斜状縁部15とが係合することで、一方の挟持体１Ａの閉止ストッパー12の凹状縁部13に他方の挟持体１Ｂの閉止ストッパー12の凸状縁部14が誘導案内されて凹凸係合すると共に、一方の挟持体１Ａの閉止ストッパー12の凸状縁部14が他方の挟持体１Ｂの閉止ストッパー12の凹状縁部13に誘導案内されて凹凸係合することになり、この閉止ストッパー12同志の凹凸係合により前記挟持対向部４同志が正対して前記はぜ部６を挟持することになる。
【００２５】
従って、正対する挟持対向部４によってはぜ部６を強固に締付挟持できる。
【実施例】
【００２６】
本発明の具体的な実施例について図面に基づいて説明する。
【００２７】
本実施例は、本発明を折板屋根用の断熱二重葺き金具（上層屋根板20を係止するための吊子16Ａを屋根上設置物16として取付可能な金具）に適用したものである。尚、本発明は、本実施例に限らず、例えば雪止め取付用やソーラーパネル取付用などの他の用途の屋根用取付金具にも適用可能であるし、折板屋根以外の他のはぜ部付屋根への取付用途にも適用可能である。
【００２８】
具体的には、図１〜図３に示すように、一対の挟持体１が左右に対向配設され、この挟持体１間に締付ボルト２が貫通配設され、この締付ボルト２に螺着した締付ナット３により各挟持体１の下部に形成した挟持対向部４を締付接近させて下側に配する屋根５（下層屋根５）のはぜ部６に締付挟持固定し得るように構成されており、この一対の挟持体１上に合成樹脂製の断熱材19が設けられ、この断熱材19の上部に、各種屋根上設置物16としての、前記下層屋根５の上方に配する上層屋根板20を係止する吊子16Ａを取り付け可能な吊子取付部21が設けられている。
【００２９】
即ち、この断熱材19により前記吊子16Ａと各挟持体１とが断熱されて、前記下層屋根５と前記上層屋根板20とが断熱状態となるように構成されている（下層屋根５上に、本屋根用取付金具を介して上層屋根板20を断熱状態に支持して断熱二重葺き折板屋根を構築するように構成されている。）。図中符号22はタイトフレーム、28は下層屋根５係止用の吊子である。
【００３０】
また、本実施例は、一枚の金属板７が折曲加工されることにより前記一対の挟持体１が天板部８を介して一体連設状態に設けられ、この天板部８上に前記断熱材19が設けられている。言い換えると、天板部８の左右下部に挟持体１が対向状態に設けられている。
【００３１】
また、この一対の挟持体１は、高さを有すると共に、夫々の前後部が対向内側に折曲加工されて、夫々が前板部９と側板部10と後板部11とから成る平断面コ字状体（高さを有し対向内側が開口する箱形体）に形成されている。
【００３２】
このようなコ字状の挟持体１は、強度が高く、構成素材である金属板７の板厚を薄くしても高強度を確保可能であるため、本実施例は、この種の金具形成に用いられる通常の金属板より薄厚な板厚２ｍｍの金属板７を採用して材料コストの削減を図っている。
【００３３】
また、一方（図面右側）の挟持体１Ａより他方（図面左側）の挟持体１Ｂの方が高さのある形状に形成され、左右に対向配設されたこの挟持体１の側板部10間に、図示省略の貫通孔を介して六角ボルトが採用された前記締付ボルト２が回り止め状態に水平貫通配設され、この締付ボルト２の先端部に締付ナット３が螺着されていて、この締付ナット３を締付回動することで各挟持体１の下部に形成した前記挟持対向部４が接近して前記はぜ部６を締付挟持するように構成されている。尚、回り止め状態の締付ナット３に対して締付ボルト２を締付回動させる構成が採用されていても良い。
【００３４】
また、高さの異なる一対の挟持体１に対応させて前記天板部８が段差板形状に形成されており、この天板部８の形状に対応させて、前記断熱材19も一側（図面右側）が他側（図面左側）より低くなる段差横板形状に形成（一体成形）されている。
【００３５】
さらに、この断熱材19の下段部上面が、前記吊子16Ａの下部を載置可能な載置面部23として構成され、天板部８の中心部から図面右側に偏心したこの載置面部23上に、この載置面部23と前記天板部８の下段部とを貫通させて取付ボルト17が立設状態に設けられていて、この取付ボルト17を吊子16Ａの下部取付孔（図示省略）に挿通させて吊子16Ａを載置面部23上に載置でき、取付ボルト17先端に螺着したナット24で吊子16Ａ（の下部）を締付固定できるように構成されている。
【００３６】
即ち、この吊子16Ａを載置可能な載置面部23と、この載置面部23に載置した吊子16Ａ取付用の取付ボルト17（とナット24）とにより前記吊子取付部21が構成されている。図中符号25は載置面部23に貫通形成された取付ボルト17貫通用のボルト通し孔である。
【００３７】
また、天板部８は、前後端部が下方に向けて折曲加工された補強片18を有していて、この補強片18により段差形状の天板部８が、上方からの正圧荷重や下方からの負圧荷重に対し強固な耐変形強度を発揮するように構成されていると共に、この補強片18に前後外側から近接若しくは当接して天板部８に対し断熱材19を前後方向へ位置決めする位置決め片26が前記断熱材19の前後端部に設けられ（一体成形され）ている。
【００３８】
本実施例では、前記一対の挟持体１の夫々の前板部９と後板部11の対向内側端縁が閉止ストッパー12として構成され、この閉止ストッパー12の下部に前記挟持対向部４が設けられて、前記締付ナット３の締付操作によりこの閉止ストッパー12同志を接近係合させた際に、挟持対向部４間に前記はぜ部６を締付挟持し得るように構成されている。
【００３９】
具体的には、一対の挟持体１の前板部９と後板部11の対向内側端縁の下部寄りに、前記はぜ部６を挟持した際のはぜ頭部の逃げ口となる切欠部27が形成されており、この切欠部27も含めた前板部９と後板部11の対向内側端縁の下部が前記挟持対向部４として構成され、この切欠部27より上側に存する前板部９と後板部11の対向内側端縁の略全域が前記閉止ストッパー12として構成されている。
【００４０】
また、前記一方の挟持体１Ａの閉止ストッパー12は、一対の挟持体１の対向外側に凹設する凹状縁部13が上，一対の挟持体１の対向内側に凸設する凸状縁部14が下に配設する凹凸縁形状に形成され、前記他方の挟持体１Ｂの閉止ストッパー12は、一方の挟持体１Ａの凹状縁部13に凹凸係合する凸状縁部14が上，一方の挟持体１Ａの凸状縁部14が凹凸係合する凹状縁部13が下に配設する凹凸縁形状に形成されて、一方の挟持体１Ａの閉止ストッパー12と他方の挟持体１Ｂの閉止ストッパー12とが互いに凹凸係合するように構成されている。
【００４１】
またさらに、一対の挟持体１の夫々の凹状縁部13と凸状縁部14の間の連設縁部15が傾斜状縁部15に形成されていて、前記締付ナット３の締付操作によりこの傾斜状縁部15同志が係合することで、一方の挟持体１Ａの閉止ストッパー12の凹状縁部13に他方の挟持体１Ｂの閉止ストッパー12の凸状縁部14が誘導案内されて凹凸係合すると共に、一方の挟持体１Ａの閉止ストッパー12の凸状縁部14が他方の挟持体１Ｂの閉止ストッパー12の凹状縁部13に誘導案内されて凹凸係合するように構成され、この閉止ストッパー12同志が凹凸係合した際に前記挟持対向部４同志が正対する対向位置関係となるように構成されている（図５，図６参照）。
【００４２】
即ち、本実施例によれば、正対する挟持対向部４によってはぜ部６を確固に締付挟持できて、極めて強固に屋根５に固定可能となるように構成されている。
【００４３】
また、前記一対の挟持体１は、図１〜図３及び図５に示すように、前記挟持対向部４より上側（切欠部27も含む）の前板部９の対向内側端部が後方へ折曲加工されることにより、この前板部９の対向内側端縁が板面を具備する形状に構成されて、この前板部９の対向内側板面が、互いに面接係合可能な前記閉止ストッパー12として構成されていると共に、前記挟持対向部４より上側（切欠部27も含む）の後板部11の対向内側端部が前方へ折曲加工されることにより、この後板部11の対向内側端縁が板面を具備する形状に構成されて、この後板部11の対向内側板面が、互いに面接係合可能な前記閉止ストッパー12として構成されている。
【００４４】
従って、対向する前後の閉止ストッパー12同志が締付挟持時に確実に面接係合して前記作用・効果を発揮するように構成されている。
【００４５】
また、本実施例は、前記一対の挟持体１は、前記挟持対向部４間の対向間隔が、前記はぜ部６の左右幅よりも幅広な間隔を有する形状に折曲加工されていて、これにより一対の挟持体１間に容易にはぜ部６を挿入して下層屋根５上に本屋根用取付金具を仮設置し得るように構成されている。
【００４６】
また、一対の挟持体１の一方だけが開いて挟持対向部４間に間隔が形成される形態ではなく、本実施例では、天板部８に対し一対の挟持体１が左右均等に開く形状に折曲加工されることで挟持対向部４間に間隔が形成されるように構成されており、これにより下層折板材５Ａの山部上に一対の挟持体１を下部を載置して本屋根用取付金具を仮設置した際にアンバランスな着地姿勢とならず、後の締付ナット３の締付作業が容易に行われるように構成されている（図４参照）。図中符号29は一対の挟持体１の下部から一体的に折曲形成された下層屋根５上に接地するための接地脚である。
【００４７】
尚、本発明は、本実施例に限られるものではなく、各構成要件の具体的構成は適宜設計し得るものである。
【符号の説明】
【００４８】
１  挟持体
１Ａ  一方の挟持体
１Ｂ  他方の挟持体
２  締付ボルト
３  締付ナット
４  挟持対向部
５  屋根
６  はぜ部
７  金属板
８  天板部
９  前板部
10  側板部
11  後板部
12  閉止ストッパー
13  凹状縁部
14  凸状縁部
15  傾斜状縁部・連設縁部
16  屋根上設置物
17  取付ボルト
18  補強片
【図１】
2020051120.tif 000003
【図２】
2020051120.tif 000004
【図３】
2020051120.tif 000005
【図４】
2020051120.tif 000006
【図５】
2020051120.tif 000007
【図６】
2020051120.tif 000008